(57)【要約】  柄を識別する柄情報と色を識別する色情報が取得される。第一〜第四の画像データのうち、少なくとも２種類の画像データを記憶する記憶部から、取得された柄情報及び色情報に対応する画像データが取得される。第一の画像データは第一の柄を識別する第一の柄情報と第一の色を識別する第一の色情報に対応する。第二の画像データは第一の柄情報と第二の色を識別する第二の色情報に対応する。第三の画像データは第二の柄を識別する第二の柄情報と第一の色情報に対応する。第四の画像データは第二の柄情報と第二の色情報に対応する。取得された画像データに対応する色の柄が、基材に記録される。
2013164953.tif 000002
【特許請求の範囲】
【請求項１】
インクジェット記録装置にセットされた基材に所定の色の柄を記録し、前記所定の色の柄によって加飾された布帛を製造する加飾方法であって、
柄を識別する柄情報と、色を識別する色情報と、を取得する第一工程と、
第一の柄を識別する第一の柄情報と第一の色を識別する第一の色情報とに対応する第一の画像データと、前記第一の柄情報と第二の色を識別する第二の色情報とに対応する第二の画像データと、第二の柄を識別する第二の柄情報と前記第一の色情報とに対応する第三の画像データと、前記第二の柄情報と前記第二の色情報とに対応する第四の画像データと、のうち、少なくとも２種類の画像データを記憶する記憶部から、前記第一工程で取得された前記柄情報及び前記色情報に対応する画像データを取得する第二工程と、
前記第二工程で取得された前記画像データに対応する色の柄を、前記基材に記録する第三工程と、を含む加飾方法。
【請求項２】
前記第一の画像データ及び前記第二の画像データは、第一の基材に関連し、
前記第三の画像データ及び前記第四の画像データは、第二の基材に関連し、
前記第三工程では、
前記第二工程で、前記第一の画像データ又は前記第二の画像データが取得された場合、前記第二工程で取得された前記画像データに対応する色の柄を、前記第一の基材に記録し、
前記第二工程で、前記第三の画像データ又は前記第四の画像データが取得された場合、前記第二工程で取得された前記画像データに対応する色の柄を、前記第二の基材に記録する、請求項１に記載の加飾方法。
【請求項３】
所定の色の柄によって加飾された布帛を製造する場合に、前記所定の色の柄を基材に記録するインクジェット記録装置を制御する制御装置であって、
前記制御装置に入力された、柄を識別する柄情報と、色を識別する色情報と、を取得する第一取得部と、
第一の柄を識別する第一の柄情報と第一の色を識別する第一の色情報とに対応する第一の画像データと、前記第一の柄情報と第二の色を識別する第二の色情報とに対応する第二の画像データと、第二の柄を識別する第二の柄情報と前記第一の色情報とに対応する第三の画像データと、前記第二の柄情報と前記第二の色情報とに対応する第四の画像データと、のうち、少なくとも２種類の画像データを記憶する記憶部から、前記第一取得部で取得された前記柄情報及び前記色情報に対応する画像データを取得する第二取得部と、
前記インクジェット記録装置で、前記第二取得部で取得された前記画像データに対応する色の柄を、前記基材に記録する制御を行う記録制御部と、を備える制御装置。
【請求項４】
所定の色の柄によって加飾された布帛を製造する加飾システムであって、
前記所定の色の柄を基材に記録するインクジェット記録装置と、
前記インクジェット記録装置を制御する制御装置と、
第一の柄を識別する第一の柄情報と第一の色を識別する第一の色情報とに対応する第一の画像データと、前記第一の柄情報と第二の色を識別する第二の色情報とに対応する第二の画像データと、第二の柄を識別する第二の柄情報と前記第一の色情報とに対応する第三の画像データと、前記第二の柄情報と前記第二の色情報とに対応する第四の画像データと、のうち、少なくとも２種類の画像データを記憶する記憶部と、を含み、
前記制御装置は、
前記制御装置に入力された、柄を識別する柄情報と、色を識別する色情報と、を取得する第一取得部と、
前記記憶部から、前記第一取得部で取得された前記柄情報及び前記色情報に対応する画像データを取得する第二取得部と、
前記インクジェット記録装置で、前記第二取得部で取得された前記画像データに対応する色の柄を、前記基材に記録する制御を行う記録制御部と、を備える、加飾システム。
【発明の詳細な説明】
【技術分野】
【０００１】
本発明は、インクジェット記録装置で基材に所定の色の柄を記録し、所定の色の柄によって加飾された布帛を製造する加飾方法と、インクジェット記録装置を制御する制御装置と、加飾システムに関する。
【背景技術】
【０００２】
基材に柄を付与し、加飾された布帛とする方法としては捺染、糸染め等着色による方法が知られている。この他、織編の組織により柄を表現する方法、例えばジャガードによる方法や、化学的処理により柄状に部分的に溶解又は収縮させる方法が知られている。更に、彫刻された熱ロール等により柄状に部分的に熱処理を行い組織の歪みを生じせしめる方法等が知られている。【０００３】
加飾された布帛に関する技術として、特許文献１には、任意の立体柄や透かし柄を有する繊維布帛の製造方法が開示されている。この繊維布帛の製造方法では、熱可塑性繊維を含む繊維布帛基材の少なくとも片面に、発泡剤と水溶性バインダーを含む組成物が付与される。その後、熱処理による発泡が行われる。次に、洗浄処理が行われる。特許文献１には、布帛に対して立体的な柄出しを行う方法として、ジャガード織、エンボス加工およびオパール加工などが知られている、ことも開示されている。【０００４】
出願人は、特許文献２において、服飾素材の立体柄表現方法に関する技術を提案している。出願人は、非特許文献１に開示されたビスコテックス（登録商標）と称されるシステムを開発し、運用している。
【先行技術文献】
【特許文献】
【０００５】
【特許文献１】特開２００７−１００２５５号公報
【特許文献２】特許第２９３９９０８号公報
【非特許文献】
【０００６】
【非特許文献１】セーレン株式会社、“ビスコテックス（登録商標）とは”、［online］、［平成２４年２月３日検索］、インターネット< http://www.viscotecs.com/about/>
【発明の概要】
【発明が解決しようとする課題】
【０００７】
織編組織により柄を形成する方法では、織機や編機に、組織による柄形成を可能にする特別な装置を内蔵させるか、又は、付属装置として設置する必要がある。更に、その柄の構図は、柄を形成する装置の性能に依存する。そのため、織編組織により柄を形成する方法は、制限されたものになってしまう場合もある。【０００８】
化学的処理により柄を形成する場合は、部分的ではあるが、布帛自身の強度低下を生じることもあり、品質が不安定になる場合もある。そのため、別途、その対策が必要となることもある。熱ロールによる部分的熱処理によって柄を形成する場合は、柄に応じて彫刻された高価なロールを製作する必要がある。加えてこのロールを高温に加熱し、温度バラツキをコントロールする必要がある。例えばポリエステル系繊維布帛の場合、ロールは、１５０〜１９５℃程度に加熱される。更に、化学的処理及び熱ロールによる方法は、通常、鮮明な柄を得ようとすればするほど、布帛の強度低下が生じやすくなる場合がある。【０００９】
本発明は、所定の布製品を形成するための素材となる、所定の色の柄で加飾された布帛を、インクジェット記録装置を用いて好適に製造することができる、加飾方法、制御装置及び加飾システムを提供することを目的とする。
【課題を解決するための手段】
【００１０】
本発明の一側面は、インクジェット記録装置にセットされた基材に所定の色の柄を記録し、前記所定の色の柄によって加飾された布帛を製造する加飾方法であって、柄を識別する柄情報と、色を識別する色情報と、を取得する第一工程と、第一の柄を識別する第一の柄情報と第一の色を識別する第一の色情報とに対応する第一の画像データと、前記第一の柄情報と第二の色を識別する第二の色情報とに対応する第二の画像データと、第二の柄を識別する第二の柄情報と前記第一の色情報とに対応する第三の画像データと、前記第二の柄情報と前記第二の色情報とに対応する第四の画像データと、のうち、少なくとも２種類の画像データを記憶する記憶部から、前記第一工程で取得された前記柄情報及び前記色情報に対応する画像データを取得する第二工程と、前記第二工程で取得された前記画像データに対応する色の柄を、前記基材に記録する第三工程と、を含む加飾方法である。【００１１】
この加飾方法によれば、柄及び色の組み合わせが異なる画像データを複数記憶させ、その中から所望する１つの色の柄に対応する画像データを取得することで、基材に所望する色の柄を記録し、これによって加飾された布帛を、好適に製造することができる。予め複数の画像データを生成し、記憶しておくことで、所定の色の柄の記録をスムーズに開始することができる。実際の取引市場においては、例えば、短納期を実現することができる。このようにして製造される布帛は、織編組織により柄を形成する織物又は編物とは異なり、所定の色の柄は、基材に記録されたものとなる。インクジェット記録装置によれば、高品質の記録を実現することが可能である。そのため、布帛を視認したユーザに対し、織編組織により柄を形成した織物又は編物を染色することによって表現された色の柄を視認した場合と同様又はこれに近い印象を与えることができる。【００１２】
第二工程における「前記第一工程で取得された前記柄情報及び前記色情報に対応する画像データを取得する」は、次のように解釈される。即ち、第一工程で、柄情報として第一の柄情報が取得され、色情報として第一の色情報が取得された場合、第二工程では、第一の画像データが取得される。この場合、第三工程では、第一の画像データに対応する第一の色の第一の柄が、基材に記録される。第一工程で、柄情報として第一の柄情報が取得され、色情報として第二の色情報が取得された場合、第二工程では、第二の画像データが取得される。この場合、第三工程では、第二の画像データに対応する第二の色の第一の柄が、基材に記録される。第一工程で、柄情報として第二の柄情報が取得され、色情報として第一の色情報が取得された場合、第二工程では、第三の画像データが取得される。この場合、第三工程では、第三の画像データに対応する第一の色の第二の柄が、基材に記録される。第一工程で、柄情報として第二の柄情報が取得され、色情報として第二の色情報が取得された場合、第二工程では、第四の画像データが取得される。この場合、第三工程では、第四の画像データに対応する第二の色の第二の柄が、基材に記録される。【００１３】
この加飾方法では、前記第一の画像データ及び前記第二の画像データは、第一の基材に関連し、前記第三の画像データ及び前記第四の画像データは、第二の基材に関連するものであってもよい。前記第三工程では、前記第二工程で、前記第一の画像データ又は前記第二の画像データが取得された場合、前記第二工程で取得された前記画像データに対応する色の柄を、前記第一の基材に記録し、前記第二工程で、前記第三の画像データ又は前記第四の画像データが取得された場合、前記第二工程で取得された前記画像データに対応する色の柄を、前記第二の基材に記録する、ようにしてもよい。【００１４】
これによれば、複数種の基材を対象とした加飾方法とすることができる。従って、第一の基材に、第一の画像データ又は第二の画像データに対応する色の柄を記録し、これによって加飾された布帛を製造することができる。第二の基材に、第三の画像データ又は第四の画像データに対応する色の柄を記録し、これによって加飾された布帛を製造することができる。【００１５】
本発明の他の側面は、所定の色の柄によって加飾された布帛を製造する場合に、前記所定の色の柄を基材に記録するインクジェット記録装置を制御する制御装置であって、前記制御装置に入力された、柄を識別する柄情報と、色を識別する色情報と、を取得する第一取得部と、第一の柄を識別する第一の柄情報と第一の色を識別する第一の色情報とに対応する第一の画像データと、前記第一の柄情報と第二の色を識別する第二の色情報とに対応する第二の画像データと、第二の柄を識別する第二の柄情報と前記第一の色情報とに対応する第三の画像データと、前記第二の柄情報と前記第二の色情報とに対応する第四の画像データと、のうち、少なくとも２種類の画像データを記憶する記憶部から、前記第一取得部で取得された前記柄情報及び前記色情報に対応する画像データを取得する第二取得部と、前記インクジェット記録装置で、前記第二取得部で取得された前記画像データに対応する色の柄を、前記基材に記録する制御を行う記録制御部と、を備える制御装置である。この制御装置は、上述した加飾方法を実現することができる。この制御装置によれば、上述した加飾方法による機能を奏することができる。【００１６】
本発明の更に他の側面は、所定の色の柄によって加飾された布帛を製造する加飾システムであって、前記所定の色の柄を基材に記録するインクジェット記録装置と、前記インクジェット記録装置を制御する制御装置と、第一の柄を識別する第一の柄情報と第一の色を識別する第一の色情報とに対応する第一の画像データと、前記第一の柄情報と第二の色を識別する第二の色情報とに対応する第二の画像データと、第二の柄を識別する第二の柄情報と前記第一の色情報とに対応する第三の画像データと、前記第二の柄情報と前記第二の色情報とに対応する第四の画像データと、のうち、少なくとも２種類の画像データを記憶する記憶部と、を含み、前記制御装置は、前記制御装置に入力された、柄を識別する柄情報と、色を識別する色情報と、を取得する第一取得部と、前記記憶部から、前記第一取得部で取得された前記柄情報及び前記色情報に対応する画像データを取得する第二取得部と、前記インクジェット記録装置で、前記第二取得部で取得された前記画像データに対応する色の柄を、前記基材に記録する制御を行う記録制御部と、を備える、加飾システムである。この加飾システムは、上述した加飾方法を実現することができる。この加飾システムによれば、上述した加飾方法による機能を奏することができる。【００１７】
上述した制御装置と、加飾システムにおける制御装置がそれぞれ備える第二取得部における「前記第一取得部で取得された前記柄情報及び前記色情報に対応する画像データを取得する」は、次のように解釈される。即ち、第一取得部で、柄情報として第一の柄情報が取得され、色情報として第一の色情報が取得された場合、第二取得部では、第一の画像データが取得される。この場合、記録制御部では、第一の画像データに対応する第一の色の第一の柄が、基材に記録される。第一取得部で、柄情報として第一の柄情報が取得され、色情報として第二の色情報が取得された場合、第二取得部では、第二の画像データが取得される。この場合、記録制御部では、第二の画像データに対応する第二の色の第一の柄が、基材に記録される。第一取得部で、柄情報として第二の柄情報が取得され、色情報として第一の色情報が取得された場合、第二取得部では、第三の画像データが取得される。この場合、記録制御部では、第三の画像データに対応する第一の色の第二の柄が、基材に記録される。第一取得部で、柄情報として第二の柄情報が取得され、色情報として第二の色情報が取得された場合、第二取得部では、第四の画像データが取得される。この場合、記録制御部では、第四の画像データに対応する第二の色の第二の柄が、基材に記録される。【００１８】
上述した制御装置と、加飾システムにおける制御装置において、記憶部は、制御装置と一体又は別体の何れであってもよい。制御装置と記憶部が一体である場合、制御装置は、記憶部を内蔵する。制御装置と記憶部が別体である場合、制御装置と記憶部は、データ通信可能に接続される。
【発明の効果】
【００１９】
本発明によれば、所定の布製品を形成するための素材となる、所定の色の柄で加飾された布帛を、インクジェット記録装置を用いて好適に製造することができる、加飾方法、制御装置及び加飾システムを得ることができる。
【図面の簡単な説明】
【００２０】
【図１】加飾システムの一例を示すブロック図である。
【図２】見本台帳を説明する図である。
【図３】色柄テーブルを説明する図である。
【図４】加飾処理のフローチャートである。
【発明を実施するための形態】
【００２１】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を備えるようにしてもよい。
【００２２】
＜加飾システム＞
加飾システム１０について、図１〜図３を参照して説明する。加飾システム１０は、図１に示すように、インクジェット記録装置２０と、制御装置４０を含む。インクジェット記録装置２０及び制御装置４０は、通信ケーブル６０を介して接続される。インクジェット記録装置２０及び制御装置４０は、通信ケーブル６０を介して通信する。加飾システム１０では、基材、柄及び色を要素として予め定められた複数のデザインのうち、所定の色の柄を、所定の基材に記録し、この所定の色の柄で加飾された布帛が製造される。柄としては、広く知られた柄（模様）の他、任意のものが採用される。立体的に視認することができるような柄も採用される。基材は、織物又は編物のような布材である。基材の表面は、凹凸のない（少ない）平坦な状態とされる。基材を形成する繊維の材質は、特に限定されない。インクジェット記録装置２０は、所定の色の柄を基材に記録する。制御装置４０は、インクジェット記録装置２０を制御する。加飾システム１０で製造される所定の色の柄によって加飾された布帛は、服飾等の布製品を形成するための素材となる。
【００２３】
加飾システム１０は、次のようにして運用される。加飾システム１０を管理し、所定の色の柄によって加飾された布帛を供給する供給者は、見本台帳を作成する。見本台帳は、例えば、基材と柄と色を関連付けたものである。供給者は、図２に示すようなパターンとされた、第一〜第三の見本台帳を作成する。第一の見本台帳は、サンプルとして、基材Ｘに黒色の柄Ｐを記録して得られる布帛と、基材Ｘに赤色の柄Ｐを記録して得られる布帛と、基材Ｘに青色の柄Ｐを記録して得られる布帛と、基材Ｘに黄色の柄Ｐを記録して得られる布帛を含む。第二の見本台帳は、サンプルとして、基材Ｙに黒色の柄Ｑを記録して得られる布帛と、基材Ｙに赤色の柄Ｑを記録して得られる布帛と、基材Ｙに青色の柄Ｑを記録して得られる布帛と、基材Ｙに黄色の柄Ｑを記録して得られる布帛を含む。第三の見本台帳は、サンプルとして、基材Ｙに黒色の柄Ｒを記録して得られる布帛と、基材Ｙに赤色の柄Ｒを記録して得られる布帛と、基材Ｙに青色の柄Ｒを記録して得られる布帛と、基材Ｙに黄色の柄Ｒを記録して得られる布帛を含む。図２に示す第一〜第三の見本台帳では、何れも、黒色、赤色、青色及び黄色の４色としたが、見本台帳毎に異なる色及び／又は色数としてもよい。作成する見本台帳の数（柄の数及び／又は基材の数）についても、適宜設定するとよい。基材Ｘ（第一の見本台帳）及び基材Ｙ（第二及び第三の見本台帳）としたが、各見本台帳で、異なる種類の基材としてもよい。全て同一種の基材であってもよい。
【００２４】
供給者は、作成した見本台帳、図２に示す例に基づけば、第一〜第三の見本台帳を、所定の色の柄によって加飾された布帛を素材として、服飾等の布製品を製造する者（以下、「需用者」という）に提供する。需要者は、布製品の製造に用いる布帛の柄及び色を、第一の見本台帳〜第三の見本台帳において定義された複数のデザイン（合計１２個：３（柄数）×４（色数））の中から選択する。その後、需用者は、選択した柄及び色を、供給者に所定の方法で連絡する。供給者は、需要者からの連絡に従い、需要者の要求に合った所定の色の柄を、対応する種類の基材（図２参照）に記録する。
【００２５】
例えば、需要者の要求が、柄Ｐ及び赤色であった場合、供給者は、加飾システム１０を用いて、基材Ｘに赤色の柄Ｐを記録し、赤色の柄Ｐが記録された布帛を製造する。需要者の要求が、柄Ｑ及び青色であった場合、供給者は、加飾システム１０を用いて、基材Ｙに青色の柄Ｑを記録し、青色の柄Ｑが記録された布帛を製造する。需要者の要求が、柄Ｒ及び黄色であった場合、供給者は、加飾システム１０を用いて、基材Ｙに黄色の柄Ｒを記録し、黄色の柄Ｒが記録された布帛を製造する。製造された布帛は、需要者に提供される。
【００２６】
インクジェット記録装置２０としては、既に実用化されているインクジェット記録装置と同様のインクジェット記録装置を採用することができる。インクジェット記録装置２０は、例えば、搬送部２２と、記録部２４を備える。搬送部２２は、基材を搬送する。記録部２４は、記録に用いる各色用の記録ヘッドを備える。記録部２４は、ライン型又はシリアル型の何れであってもよい。記録部２４が備える記録ヘッドにはノズルが形成される。各色用の記録ヘッドに形成されたノズルからは、搬送部２２によって搬送される基材に対し、対応する色のインクが吐出される。このようにして、記録部２４では、搬送される基材に、所定の色の柄が記録される。インクジェット記録装置２０に関し、この他の説明は省略する。
【００２７】
制御装置４０は、例えば、パーソナルコンピュータのような情報処理装置である。制御装置４０は、図１に示すように、制御部４２と、記憶部４４と、操作部４６と、表示部４８と、接続インターフェース（以下、「接続Ｉ／Ｆ」という）５０を備える。制御部４２は、インクジェット記録装置２０を制御するための各種の処理を実行する。制御部４２は、ＣＰＵ４２１と、メモリ４２２等を含む。メモリ４２２としては、ＲＡＭ等が例示される。記憶部４４は、ハードディスクのようなストレージデバイスである。記憶部４４には、コンピュータプログラムがインストールされ、色柄テーブル及び画像データ等の各種のデータが記憶される。コンピュータプログラムとしては、後述する加飾処理のためのコンピュータプログラムが例示される。
【００２８】
色柄テーブルは、図３に示すように、柄情報と色情報と画像データ情報を関連付けたデータベースである。色柄テーブルには、見本台帳に対応させた各情報が登録される。図３に示す色柄テーブルは、図２に例示した第一〜第三の見本台帳に対応する状態としている。色柄テーブルにおいて、Ｎｏ．「１」〜「４」は、第一の見本台帳に対応する情報が登録されたレコードである。Ｎｏ．「５」〜「８」は、第二の見本台帳に対応する情報が登録されたレコードである。Ｎｏ．「９」〜「１２」は、第三の見本台帳に対応する情報が登録されたレコードである。
【００２９】
柄情報は、基材に記録され、布帛を加飾する柄を識別する情報である。柄情報「ＰＰＰ」は、図２に示す「柄Ｐ」に対応する。柄情報「ＱＱＱ」は、図２に示す「柄Ｑ」に対応する。柄情報「ＲＲＲ」は、図２に示す「柄Ｒ」に対応する。色情報は、色を識別する情報である。色情報「ＢＬＫ」は黒色を示す。色情報「ＲＥＤ」は赤色を示す。色情報「ＢＬＵ」は青色を示す。色情報「ＹＥＬ」は黄色を示す。画像データ情報は、各レコードで関連付けられた柄情報及び色情報に対応する画像データを識別する情報である。具体的には、画像データ情報は、その画像データが記憶された記憶先及び画像データのファイル名を組み合わせた情報である。
【００３０】
操作部４６は、制御装置４０に対する所定の指示を入力するためのインターフェースである。操作部４６は、例えば、キーボード及びマウスを含む。操作部４６は、タッチパネル機能を含むようにしてもよい。表示部４８は、ＬＣＤ等のモニタである。表示部４８には、所定の画面が表示される。例えば、基材に所定の色の柄が記録される場合、入力画面が表示される。入力画面は、記録される柄を識別する柄情報と、色を識別する色情報の入力を受け付ける画面である。接続Ｉ／Ｆ５０は、通信ケーブル６０を介して、制御装置４０をインクジェット記録装置２０に接続する。接続Ｉ／Ｆ５０は、インクジェット記録装置２０との間で通信を行う。
【００３１】
制御装置４０によってインクジェット記録装置２０が制御される場合、制御部４２は、記憶部４４にアクセスし、所定のコンピュータプログラムを実行する。例えば、加飾システム１０で後述する加飾方法が実行される場合を例として、より具体的に説明する。制御部４２に含まれるＣＰＵ４２１は、記憶部４４にアクセスし、メモリ４２２を用いて、加飾処理のためのコンピュータプログラムを実行する。その際、ＣＰＵ４２１は、色柄テーブルにアクセスする。ＣＰＵ４２１は、柄情報及び色情報に従い、画像データ情報を特定し、記憶部４４から、特定された画像データ情報に対応する画像データをメモリ４２２に読み出す。その後、ＣＰＵ４２１は、インクジェット記録装置２０での画像の記録のための処理を実行する。このように、ＣＰＵ４２１が、所定のコンピュータプログラムを実行することで、各種の機能が実現される。即ち、制御部４２は、インクジェット記録装置２０で実行される各種の動作のための機能部を構成する。
【００３２】
＜加飾方法及び加飾処理＞
加飾方法及び加飾処理について、図４を参照して説明する。加飾方法は、加飾システム１０において実行される。加飾方法は、インクジェット記録装置２０にセットされた基材に所定の色の柄を記録し、所定の色の柄によって加飾された布帛を製造するための第一工程〜第三工程を含む。第一工程は、基材に記録される所定の色の柄に関し、柄を識別する柄情報と、色を識別する色情報を取得する工程である。第二工程は、記憶部４４から、第一工程で取得された柄情報及び色情報に対応する画像データを取得する工程である。第三工程は、第二工程で取得された画像データに対応する色の柄を、基材に記録する工程である。
【００３３】
加飾処理は、加飾方法を実行するための処理である。加飾方法の各工程は、制御部４２（ＣＰＵ４２１）によって、加飾処理のためのコンピュータプログラムが実行されて実現される。加飾処理は、この処理の開始指示が制御装置４０に入力された場合に開始される。これに基づき、加飾システム１０では、加飾方法の各工程が実行される。作業者は、操作部４６を操作し、開始指示を入力する。
【００３４】
開始指示が入力された場合、制御部４２は、表示部４８に、柄情報及び色情報の入力を受け付ける入力画面を表示する制御を行う（Ｓ１）。制御部４２から表示部４８に入力画面を表示させる指示が出力され、表示部４８には、入力画面が表示される。作業者は、操作部４６を操作し、需用者の要求に応じた柄情報及び色情報を入力する。作業者は、その後、操作部４６を介して、確定操作を行う。制御部４２は、確定操作が行われた場合、入力された柄情報及び色情報を取得する（Ｓ２）。取得された柄情報及び色情報は、制御部４２に含まれるメモリ４２２に記憶される。
【００３５】
その後、制御部４２は、Ｓ２で取得され、メモリ４２２に記憶された柄情報及び色情報に対応する画像データを取得する（Ｓ３）。Ｓ３で制御部４２は、記憶部４４に記憶された色柄テーブルにアクセスする。制御部４２は、Ｓ２で取得されメモリ４２２に記憶された柄情報及び色情報に一致する柄情報及び色情報が関連付けて登録されたレコードを特定する。例えば、Ｓ２での柄情報が「ＰＰＰ」で、且つ、Ｓ２での色情報が「ＢＬＫ」であったとする。この場合、制御部４２は、図３に示す色柄テーブルのＮｏ．「１」のレコードを特定する。続けて、制御部４２は、このレコードに登録された画像データ情報を特定し、記憶部４４から、特定された画像データ情報に対応する画像データを読み出す。読み出された画像データは、メモリ４２２に記憶される。つまり、Ｎｏ．「１」のレコードが特定されていた場合、制御部４２は、「ｉｍａｇｅ＿Ａ」を読み出し、これをメモリ４２２に記憶する。
【００３６】
次に、制御部４２は、インクジェット記録装置２０で、Ｓ３で取得され、メモリ４２２に記憶された画像データに対応する色の柄を記録する制御を行う（Ｓ４）。制御部４２は、接続Ｉ／Ｆ５０を介して、画像データに対応する色の柄の記録のための実行指示を、インクジェット記録装置２０に入力する。インクジェット記録装置２０では、搬送部２２によって基材が搬送され、画像データに対応する色の柄が、記録部２４を通過する基材に記録される。作業者は、例えば、加飾方法の第一工程の開始前のタイミングで、基材をインクジェット記録装置２０にセットする。セットされる基材は、Ｓ２で入力される柄情報に対応する柄に関連付けられた基材であって、見本台帳（図２参照）における関連付けに従い特定される。本実施形態の加飾システム１０では、その運用に際し、図２に示すような関連付けが行われた見本台帳が、例えば、作業指図書のような形態で準備される。このようにして、加飾システム１０では、画像データに対応する色の柄で加飾された布帛が製造される。
【００３７】
上記において、加飾処理のＳ２は、加飾方法の第一工程に対応する処理である。Ｓ２の実行により、加飾システム１０では、第一工程が実行される。加飾処理のＳ３は、加飾方法の第二工程に対応する処理である。Ｓ３の実行により、加飾システム１０では、第二工程が実行される。加飾処理のＳ４は、加飾方法の第三工程に対応する処理である。Ｓ３の実行により、加飾システム１０では、第三工程が実行される。
【００３８】
＜本実施形態の効果＞
本実施形態によれば、次のような効果を得ることができる。即ち、上記では、基材に所定の色の柄を、インクジェット記録装置２０を用いて記録し、加飾された布帛を製造することとした。加飾システム１０では、複数の柄と複数の色を組み合わせて、デザインを複数のパターンに定型化（図２及び図３参照）することとした。そのため、所定の布製品を形成するための素材となる、所定の色の柄で加飾された布帛を、インクジェット記録装置２０を用いて好適に製造することができる。所定の色の柄が形成された布帛を製造する従来の方法としては、例えば、織機を用いて布帛を織る段階、又は、編機を用いて布帛を編む段階で表面に柄を形成する方法がある。このような従来の方法では、織機又は編機を、形成される色の柄に対応する構成にセットしなければならない。形成される色の柄が変更される場合、その都度、このような作業を行わなければならない。このような作業は複雑で、困難を伴う場合もある。特許文献１のような方法では、所定の組成物を付与し、続けて、熱処理し、最後に、洗浄処理を行わなければならない。従って、従来の方法では、事前準備又は後処理に、長い時間を要することが想定される。
【００３９】
加飾システム１０では、デザインを複数のパターンに定型化することで、布帛を製造する際、インクジェット記録装置２０での記録をスムーズに実行することができる。基材に記録される色の柄に対応する画像データを、例えば、加飾システム１０の運用に先立ち、生成することができる。上記では、説明を省略したが、インクジェット記録装置２０で基材に所定の色の柄を高品質で記録するためには、インクの吐出量等、記録のための各種条件を検討する必要がある。条件を検討する際には、基材の種類も考慮する必要がある。同一の色の柄であっても、基材の種類が異なれば、異なった条件となる場合もある。従って、本実施形態の加飾システム１０及び加飾方法（加飾処理）によれば、需用者から、定型化された複数のデザインのうち、所定の色の柄によって加飾された布帛が要求された場合、迅速に、要求された色の柄を基材に記録し、要求された布帛を短期間に製造し、提供することができる。加飾システム１０による加飾方法によれば、加飾された布帛の生産ロットが小さくなる程、例えば、上述したような従来の方法に対して、コストメリットが増大する場合が多くなると考えられる。
【００４０】
インクジェット記録装置２０では、高品質の記録を実現することが可能である。そのため、布帛を視認したユーザに対し、織物又は編物によって表現された色の柄を視認した場合と同様又はこれに近い印象を与えることができる。加飾システム１０では、基材に記録される所定の色の柄は、画像データによって表現される。画像データは、加飾処理のＳ２で取得された柄情報及び色情報によって、容易に特定される。記録対象となる所定の色の柄を容易に変更することができる。需用者からの要求が小ロット又は中ロットであったとしても、好適に対応することができる。
【００４１】
出願人は、上述したように、非特許文献１に開示されたビスコテックス（登録商標）と称されるシステムを開発し、運用している。このシステムは、多種多様な色の柄（デザイン）に対応できるものである。例えば、世界に１着のオーダーメイドの服飾の素材となる布帛の製造に好適に対応することができる。このシステムでは、多種多様な色の柄に対応するため、基材に記録される色の柄に対応する画像データは、需用者からの要求に応じて生成される。
【００４２】
このような状況の下、出願人は、実績のあるビスコテックス（登録商標）と称されるシステムの優位性を損なうことなく、各種の色の柄で加飾された布帛を効率よく製造できる技術の開発を進めた。その結果、出願人は、上述したような、加飾システム１０と、これに含まれる制御装置４０と、加飾システム１０で実行される加飾方法を、新たに開発した。このような異なる２つのシステムによれば、生産量が極めて少なく、高い付加価値を有する布帛の製造（運用開始済みのビスコテックス（登録商標）によって対応）から、小ロット又は中ロット程度の布帛の製造（加飾システム１０等によって対応）にまで対応することができるようになった。
【００４３】
＜変形例＞
本実施形態の構成は、次のようにすることもできる。
【００４４】
（１）上記では、制御装置４０が記憶部４４を備え、記憶部４４に画像データが記憶されている構成を例に説明した。この他、画像データは、制御装置４０とデータ通信できる外部の記憶部（以下、「記憶装置」という）に記憶するようにしてもよい。この場合、加飾システム１０は、この記憶装置を含む。制御装置４０及びこの記憶装置は、例えば、ＬＡＮのようなネットワークによって、データ通信できる状態とされる。色柄テーブルには、画像データ情報として、記憶装置内に記憶された画像データを識別する情報、詳細には、画像データが記憶された記憶先（記憶装置のアドレスを含む）及び画像データのファイル名が登録される。制御部４２は、加飾処理のＳ３において、記憶装置から画像データを取得する。
【００４５】
（２）上記では、図２に示すような関連付けが行われた見本台帳を、例えば、作業指図書のような形態で準備し、これに従い、作業者が、適切な種類の基材を、インクジェット記録装置２０にセットする構成を例に説明した。インクジェット記録装置２０に複数種の基材をストックする構成を設け、見本台帳（図２参照）における関連付けに対応する基材が、自動的にインクジェット記録装置２０にセットされるようにしてもよい。この場合、複数種の基材のうち、所定の基材を特定するための構成として、色柄テーブルには、各レコードにおいて、基材を識別する情報が、見本台帳に対応する状態で、関連付けられる。Ｓ３では、特定されたレコードに登録された画像データ及び基材が特定される。制御部４２は、特定された基材をインクジェット記録装置２０にセットする制御を行う。
【００４６】
この他、加飾システム１０が、複数種の基材がそれぞれセットされた複数のインクジェット記録装置２０を含み、加飾処理のＳ４で、制御部４２が、対応する種類の基材がセットされたインクジェット記録装置２０に、記録の実行指示を入力するようにしてもよい。この場合においても、上記同様、色柄テーブルには、基材を識別する情報が登録される。更に、色柄テーブルには、レコード毎に、そのレコードに登録された基材を識別する情報に対応する基材がセットされたインクジェット記録装置２０を識別する情報が登録される。基材とインクジェット記録装置２０との関連付けは、色柄テーブルとは異なる別のテーブルを設け、これによって行うようにしてもよい。加飾処理のＳ４では、Ｓ３で特定されたレコードに登録された基材を識別する情報に関連付けられたインクジェット記録装置２０が特定される。
【符号の説明】
【００４７】
１０  加飾システム
２０  インクジェット記録装置
２２  搬送部
２４  記録部
４０  制御装置
４２  制御部
４４  記憶部
４６  操作部
４８  表示部
５０  接続インターフェース（接続Ｉ／Ｆ）
６０  通信ケーブル
４２１  ＣＰＵ
４２２  メモリ
【図１】
2013164953.tif 000003
【図２】
2013164953.tif 000004
【図３】
2013164953.tif 000005
【図４】
2013164953.tif 000006
【国際調査報告】
2013164953.tif 000007
2013164953.tif 000008
2013164953.tif 000009
2013164953.tif 000010